(57)【要約】【課題】かご室の天板のレベル位置を高くすることなく、照明板をむらなく照光し、かご室内を良好な意匠性を保って照明することができるエレベータの照明装置を提供する。【解決手段】エレベータのかご室１と、このかご室１の天井部４ａに設けられ、下面に開口部６を有する照明箱５と、この照明箱５内に前記開口部６と対向して設けられた照明ユニット２０とを備える。この照明ユニット２０は、並列に並べられた複数本の冷陰極蛍光ランプ２２と、これら冷陰極蛍光ランプ２２を点灯させる安定器と、前記冷陰極蛍光ランプ２２の光で照光させる照明板３０ａ，３０ｂとを備え、この照明ユニット２０が上に凸となる円弧状をなしている。【選択図】    図１
2004203607.tif 000002
【特許請求の範囲】
【請求項１】
エレベータのかご室と、
このかご室の天井部に設けられ、下面に開口部を有する照明箱と、
この照明箱内に前記開口部と対向して設けられ、並列に並べられた複数本の冷陰極蛍光ランプと、
これら冷陰極蛍光ランプを点灯させる安定器と、
前記冷陰極蛍光ランプの光で照光させる照明板とを有する照明ユニットと、
を具備することを特徴とするエレベータの照明装置。
【請求項２】
エレベータのかご室と、
このかご室の天井部に設けられ、下面に開口部を有する照明箱と、
この照明箱内に前記開口部と対向して設けられ、発光ダイオードおよび有機エレクトロルミネッセンスのうちの少なくともいずれか一方の素子からなる光源と、
前記光源の光で照光させる照明板とを有する照明ユニットと、
を具備することを特徴とするエレベータの照明装置。
【請求項３】
前記照明ユニットは円弧状をなし、その円弧の凹面と凸面とに前記照明板を備えていることを特徴とする請求項１または２に記載のエレベータの照明装置。
【発明の詳細な説明】
【０００１】
【発明の属する技術分野】
この発明は、エレベータのかご室内を照明する照明装置に関する。
【０００２】
【従来の技術】
図５にはエレベータのかご室１の構成を示してあり、このかご室１は、かご床２と、このかご床２の上の四方を囲む側板３と、これら側板３の上端部に設置された天板４とを備えている。
【０００３】
天板４の下面は天井部４ａとなっており、この天井部４ａに照明箱５が取り付けられている。この照明箱５は下面に大きな開口部６を有し、この開口部６に光透過性の例えば合成樹脂で形成された照明板７が設けられている。この照明板７は、かご室１内の高さに関する奥行を高めて乗客に開放感を与えるように、その全体が上に凸となる円弧状をなしている。
【０００４】
天井部４ａには、照明板７を照光する光源として複数の蛍光ランプ１０が天板４に対して斜めに取り付けられている。そしてこれら蛍光ランプ１０により照明板７が照光され、その光がかご室１内に拡散してかご室１内が照明される。
【０００５】
なお、かご室１の正面側の側板３には出入口１５が形成され、この出入口１５にその開閉用のドア１６ａ，１６ｂが設けられている。また、１７は出入口１５の上部側に設けられて幕板で、１８は側板３の下部に設けられた巾木である。
【０００６】
【発明が解決しようとする課題】
ところで、かご室１内の意匠性はその内部の照明効果に依存するところが大きく、その点で照明板７をむらなく照光することが重要となる。
【０００７】
ところが、従来においては、照明板７を照光する光源として通常一般の蛍光ランプ１０が用いられ、これら蛍光ランプ１０が照明板７の上方にまばらに配置する状態にあり、このため照明板７の板面に光むら、つまり部分的な照度差が生じやすくなっている。
【０００８】
それゆえ、従来においては、照明板７の光透過度を低くしたり、光拡散性を高くすることにより光むらを抑えるようにしているが、実際には充分な効果が得られていないのが実情である。
【０００９】
特に、照明板７が上に凸の円弧状の場合、その頂部と天井部４ａとの間の隙間が狭くなり、その部分に蛍光ランプ１０を配置させることが困難で、より光むらが生じやすくなる。
【００１０】
照明板７の頂部と天井部４ａとの間の間隔を広げてその部分に蛍光ランプ１０を配置させるようにすれば、光むらをある程度低減させることができるが、この場合には天板４のレベル位置を高くしなければならず、かご室１の全体の高さが高くなり、昇降路の頂部に設けるオーバーヘッド寸法を増大させなければならなくなってしまう。
【００１１】
この発明はこのような点に着目してなされたもので、その目的とするところは、かご室の天板のレベル位置を高くすることなく、照明板をむらなく照光し、かご室内を良好な意匠性を保って照明することができるエレベータの照明装置を提供することにある。
【００１２】
【課題を解決するための手段】
請求項１の発明は、エレベータのかご室と、このかご室の天井部に設けられ、下面に開口部を有する照明箱と、この照明箱内に前記開口部と対向して設けられ、並列に並べられた複数本の冷陰極蛍光ランプと、これら冷陰極蛍光ランプを点灯させる安定器と、前記冷陰極蛍光ランプの光で照光させる照明板とを有する照明ユニットとを具備することを特徴としている。
【００１３】
請求項２の発明は、エレベータのかご室と、このかご室の天井部に設けられ、下面に開口部を有する照明箱と、この照明箱内に前記開口部と対向して設けられ、発光ダイオードおよび有機エレクトロルミネッセンスのうちの少なくともいずれか一方の素子からなる光源と、前記光源の光で照光させる照明板とを有する照明ユニットとを具備することを特徴としている。
【００１４】
請求項３の発明は、前記照明ユニットが円弧状をなし、その円弧の凹面と凸面とに前記照明板を備えていることを特徴としている。
【００１５】
【発明の実施の形態】
以下、この発明の実施形態について図１ないし図４を参照して説明する。なお、従来の構成と対応する部分には同一符号を付して重複する説明を省略する。
【００１６】
図１ないし図３には第１の実施形態を示してあり、この実施形態においては、図１に示すように、照明箱５内にその開口部６に対向して照明ユニット２０が設けられている。
【００１７】
照明ユニット２０は、図２および図３に示すように、フレーム２１と、このフレーム２１内に光源として配設された複数本の直管形の冷陰極蛍光ランプ２２とを備えている。
【００１８】
フレーム２１は、一定の厚さを有し、その厚さ部分の全体が円弧状をなし、その厚さ部分の上面および下面、つまり円弧の凸面と凹面とにそれぞれ大きな開口２５ａ，２５ｂが形成されている。
【００１９】
フレーム２１の内部には、一対の支持板２６が互いに対向して設けられている。これら支持板２６は、フレーム２１の両側部にそのフレーム２１の円弧形状に沿うように設けられている。そしてこれら支持板２６間に前記冷陰極蛍光ランプ２２が互いに所定の間隔をあけて平行に架設されている。
【００２０】
冷陰極蛍光ランプ２２は、１〜６ｍｍ程度の直径を有する透光性放電容器と、この放電容器の両端部に封止された一対の冷陰極（図示せず）と、放電容器の内面に塗布された蛍光体（図示せず）と、放電容器内に封入された放電媒体（図示せず）とを備えている。この冷陰極蛍光ランプ２２は、陰極が加熱されることなく発光するため、点灯・消灯の回数によって寿命が左右されることはなく、単に発光時間に起因する要素だけで寿命が決まるという特性をもっている。また、この冷陰極蛍光ランプ２２は、電圧を印加すると即点灯し、発光までの時間的な遅れがないことも特徴の１つとなっている。
【００２１】
フレーム２１内には、各冷陰極蛍光ランプ２２を点灯させるインバータ機能を有する安定器２８が設けられ、この安定器２８と各冷陰極蛍光ランプ２２とが配線２９を介して接続されている。
【００２２】
円弧状をなすフレーム２１の上下面の開口２５ａ，２５ｂには、図２に示すように、各冷陰極蛍光ランプ２２と対向するようにそれぞれ照明板３０ａ，３０ｂが装着されている。これら照明板３０ａ，３０ｂは、光透過性を有する例えば合成樹脂により、フレーム２１に対応する円弧状に形成されている。なお、図３においては、フレーム２１の開口２５ａから照明板３０ａを取り除いた状態を示してある。
【００２３】
このように構成された円弧状の照明ユニット２０は、図１に示すように、その円弧の頂部が上を向く姿勢で照明箱５内に開口部６と対向して設けられている。
【００２４】
そして各冷陰極蛍光ランプ２２の点灯により照明板３０ａ，３０ｂが照光され、その光がかご室１内に拡散し、かご室１内が照明される。
【００２５】
各冷陰極蛍光ランプ２２はその直径が１〜６ｍｍ程度で、通常一般の蛍光ランプ（熱陰極管）に比べ格段に直径が小さい。そして、このような直径のごく小さい冷陰極蛍光ランプ２２が複数本均等間隔で平行に配置されて照明板３０ａ，３０ｂに対向しており、このため各冷陰極蛍光ランプ２２が点灯したときに、照明板３０ａ，３０ｂの全域がむらなく一様に照光され、したがってかご室１の照明に関する意匠性が高まる。
【００２６】
光源としての冷陰極蛍光ランプ２２は上述のように直径がごく小さく、したがって照明ユニット２０を厚さの小さい薄形に構成でき、このためかご室１の天板４のレベル位置を特に上げるような必要もない。
【００２７】
ところで、一般に、かご室１の天板４には点検口や僅かな隙間があり、このため昇降路内のほこりや粉塵等が照明箱５内に入り込むが、前記照明ユニット２０は密閉構造に構成されており、このため内部の冷陰極蛍光ランプ２２にほこりや粉塵等の異物が付着するようなことがなく、したがってその清掃が不要となる。
【００２８】
図３には第２の実施形態を示してあり、この実施形態においては、前記第１の実施形態における照明ユニット２０を上下反転して円弧の凸が下を向く姿勢とし、この姿勢で照明ユニット２０を照明箱５の開口部６と対向するように、かご室１の天井部４ａにブラケット３５を介して取り付けてある。
【００２９】
このような構成においても、前記第１の実施形態の場合と同様の作用効果を奏する。さらにこの第２の実施形態においては、照明箱５の内側の両側部に補助照明ユニット３６が設置されている。これら補助照明ユニット３６は、前記照明ユニット２０と同様にその光源として複数本の冷陰極蛍光ランプ２２が用いられている。
【００３０】
このような補助照明ユニット３６を備える実施形態の場合には、前記照明箱５の中央部に開口部６と対向して配置された照明ユニット２０によりかご室１内が直接照明方式で照明されるとともに、照明箱５の両側部に配置された補助照明ユニット３６によりかご室１内が間接照明方式で照明され、したがって趣きのある独特の照明効果が得られる。
【００３１】
なお、前記各実施形態においては、照明ユニット２０を円弧状としたが、山型状、谷型状、Ｍ型状等の形状とすることも可能である。
【００３２】
また、前記第１および第２のいずれの実施形態においても、照明ユニット２０の光源としての冷陰極蛍光ランプ２２は通常一般の蛍光ランプに比べて格段に長寿命であり、このためその交換期間を大幅に延ばすことができ、保守が容易となる。さらに、冷陰極蛍光ランプ２２は、通常一般の蛍光ランプのような点灯時における不規則な点滅動作がなく、即点灯が可能であり、このためかご室１内を違和感なく照明することができる。
【００３３】
前記各実施形態においては、光源として冷陰極蛍光ランプを用いたが、その冷陰極蛍光ランプに替えてＬＥＤ（発光ダイオード）や有機ＥＬ（エレクトロルミネッセンス）を用いることも可能である。この場合、例えば複数の白色のＬＥＤや有機ＥＬの素子を適宜な形状のホルダ等に組み付けて棒状や二次元平面状等の形態にユニット化し、そのユニットをフレームに取り付けて照明ユニットとして構成する。なお、１個のＬＥＤや有機ＥＬの素子を用いて棒状や二次元平面状等に構成することも可能である。
【００３４】
フレームには、光源としてＬＥＤのみを配設する場合であっても、有機ＥＬのみを配設する場合であっても、あるいはＬＥＤと有機ＥＬとを適数ずつ組み合わせて配設する場合等であってもよい。
【００３５】
ＬＥＤや有機ＥＬは白色のものを用いる場合に限らず、照明ユニットの設置場所、周囲環境、光量、使用時間帯、使用季節等に応じて他の色のものを用いることも可能であり、また複数の色のＬＥＤや有機ＥＬを混在させることも可能である。さらに、光源としてＬＥＤや有機ＥＬと併せて冷陰極蛍光ランプをフレームに配設して照明ユニットとして構成することも可能である。
【００３６】
なお、ＬＥＤや有機ＥＬを発光させる手段としては、従来一般の駆動制御装置を用いることは言うまでもない。
【００３７】
【発明の効果】
以上説明したようにこの発明によれば、かご室の天板のレベル位置を高くすることなく、照明板をむらなく照光し、かご室内を良好な意匠性を保って照明することができる。
【図面の簡単な説明】
【図１】この発明の第１の実施形態を示す構成図。
【図２】第１の実施形態における照明ユニットの断面図。
【図３】第１の実施形態における照明ユニットの平面図。
【図４】この発明の第２の実施形態を示す構成図。
【図５】従来のエレベータの照明装置を示す構成図。
【符号の説明】
１…かご室
４…天板
４ａ…天井部
５…照明箱
６…開口部
２０…照明ユニット
２１…フレーム
２２…冷陰極蛍光ランプ
２６…支持板
２８…安定器
３０ａ，３０ｂ…照明板
【図１】
2004203607.tif 000003
【図２】
2004203607.tif 000004
【図３】
2004203607.tif 000005
【図４】
2004203607.tif 000006
【図５】
2004203607.tif 000007